(57)【要約】【課題】器体に設けられカバーを回動自在に保持する回転軸が折れるのを防止することができる電子機器を提供する。【解決手段】プログラマブルコントローラからなる電子機器の器体１０の上壁に開口部１１が形成され、開口部１１を塞ぐ位置と開放する位置との間で回動自在となるように器体１０に枢支されるカバー２０を備える。器体１０は、開口部１１の内周縁から一対の回転軸１２，１２が突設されている。カバー２０の枢支部２１には、回転軸１２が嵌着される軸受孔２２が形成されている。また、カバー２０の枢支部２１には、カバー２０が開口部１１を開放し且つ開放方向へのカバー２０の回動が器体１０により規制された状態において、カバー２０へ開放方向の力が作用したときに回転軸１２を軸受孔２２から脱出させる脱出用スリット２４が軸受孔２２に連通する形で形成されている。【選択図】　　　図１
2004128347.tif 000002
【特許請求の範囲】
【請求項１】
器体と、器体に形成された開口部を塞ぐ位置と開口部を開放する位置との間で回動自在となるように器体に枢支されるカバーとを備え、カバーには、器体の開口部の内周縁から突設された回転軸が嵌着される軸受孔が形成され、カバーが開口部を開放し且つ開放方向へのカバーの回動が器体により規制された状態においてカバーへ開放方向の力が作用したときに回転軸を軸受孔から脱出させる脱出用スリットが軸受孔に連通する形で形成されてなることを特徴とする電子機器。
【請求項２】
前記カバーには、前記軸受孔に連通し前記回転軸を軸方向に直交する方向から前記軸受孔に導入可能とする取付用スリットが形成されてなることを特徴とする請求項１記載の電子機器。
【発明の詳細な説明】
【０００１】
【発明の属する技術分野】
本発明は、器体に形成された開口部を塞ぐ位置と開放する位置との間で回動自在となるように器体に枢支されるカバーを備えた電子機器に関するものである。
【０００２】
【従来の技術】
従来から、器体内部に配設されている各種のスイッチの設定を外部から操作して変更する際に開閉するカバーを備えた電子機器や、器体内部に配設されているバッテリホルダにバッテリを着脱する際に開閉するカバーを備えた種々の電子機器が提案されている（例えば、特許文献１）。
【０００３】
この種の電子機器においては、図７に示すように、合成樹脂製のカバー２０の枢支部２１に形成された軸受孔２２へ合成樹脂製の器体１０の開口部１１の内周縁から突設された回転軸１２を嵌着することで、器体１０に対してカバー２０が回動自在に保持される。ここに、カバー２０の枢支部２１には、軸受孔２２に連通し回転軸１２を軸受孔２２に導入可能とする取付用スリット２３が形成されている。なお、取付用スリット２３は、図７における下面側が開放されており、軸受孔２２の内径よりも幅狭に形成されている。
【０００４】
【特許文献１】
特開平８−３２９９１８号公報（第２頁−第３頁、図１、図２、図３）
【０００５】
【発明が解決しようとする課題】
ところで、上記従来構成では、カバー２０を回動自在に保持する一対の回転軸１２が器体１０に設けられているので、カバー２０が回転軸１２を中心にして開口部１１を塞ぐ位置と開放する位置との間で回動自在となる。しかしながら、カバー２０が開口部１１を開放し且つ開放方向へのカバー２０の回動が器体１０により規制された状態においてカバー２０へ開放方向の力が作用すると、回転軸１２が折れてしまい、カバー２０を器体１０へ取り付けることができなくなっていた。
【０００６】
本発明は上記事由に鑑みて為されたものであり、その目的は、器体に設けられカバーを回動自在に保持する回転軸が折れるのを防止することができる電子機器を提供することにある。
【０００７】
【課題を解決するための手段】
請求項１の発明は、上記目的を達成するために、器体と、器体に形成された開口部を塞ぐ位置と開口部を開放する位置との間で回動自在となるように器体に枢支されるカバーとを備え、カバーには、器体の開口部の内周縁から突設された回転軸が嵌着される軸受孔が形成され、カバーが開口部を開放し且つ開放方向へのカバーの回動が器体により規制された状態においてカバーへ開放方向の力が作用したときに回転軸を軸受孔から脱出させる脱出用スリットが軸受孔に連通する形で形成されてなることを特徴とするものであり、カバーが開口部を開放し且つ開放方向へのカバーの回動が器体により規制された状態においてカバーへ開放方向の力が作用すると、回転軸が脱出用スリットを通してカバーから外れる（つまり、カバーが器体から外れる）ことになるので、回転軸が折れるのを防止することができる。
【０００８】
請求項２の発明は、請求項１の発明において、前記カバーには、前記軸受孔に連通し前記回転軸を軸方向に直交する方向から前記軸受孔に導入可能とする取付用スリットが形成されているので、前記カバーが前記器体から外れた後でも容易に取り付けることができる。
【０００９】
【発明の実施の形態】
本実施形態では、電子機器の一例として、シーケンスプログラムに基づいて制御対象機器のシーケンス制御を行うプログラマブルコントローラを例示するが、本発明の技術思想はプログラマブルコントローラ以外の電子機器にも適用できる。
【００１０】
本実施形態のプログラマブルコントローラは、図２に示した器体１０内に、使用者が作成したシーケンスプログラムやデータなどを記憶保持するメモリ（図示せず）、シーケンスプログラムに従って動作するマイクロプロセッサ（図示せず）などが収納されており、器体１０の前面側に、各種設定を行う複数のスイッチ１８ａを有する操作部１８と、各種表示を行う表示部１９とが設けられている。
【００１１】
また、器体１０内には、外部電源からの給電が停止しても上記メモリなどへの給電を維持するバックアップ用のバッテリ（図示せず）を着脱自在に保持するバッテリホルダ（図示せず）が収納されており、器体１０の上壁において上記バッテリホルダに対応する部位には、矩形状に開口した開口部１１が形成されている。
【００１２】
また、本実施形態のプログラマブルコントローラは、開口部１１を塞ぐ位置と開放する位置との間で回動自在となるように器体１０に枢支される矩形状のカバー２０（図１および図４および図５参照）を備えており、カバー２０が開口部１１を開放する位置までカバー２０を回動させることにより、上記バッテリの着脱を行うことができるようになっている。なお、器体１０およびカバー２０はそれぞれ合成樹脂により形成されている。
【００１３】
器体１０の開口部１１の内周縁からは、カバー２０が開口部１１を塞いだ状態で器体１０内に落ち込むのを防止するための３つのリブ１３（図２および図３および図５参照）が突設されている。また、カバー２０は、一端部に枢支部２１が形成されており、カバー２０の他端部の両側部からは、器体１０の上壁における開口部１１の周部の下面に係合自在なロック用凸部２５（図４参照）が突設されており、カバー２０により開口部１１を塞いだ状態でロック用凸部２５が開口部１１の周部の下面に係合されるようになっている。これに対して、器体１０の上壁の上面には、カバー２０により開口部１１を塞いだ状態においてカバー２０の他端部近傍となる部位に、開口部１１に連通する操作用凹部１４が形成されており、操作用凹部１４に指や冶具などを挿入してカバー２０が開口部１１を開放する方向へ力を作用させることによって、器体１０とロック用凸部２５との係合状態が解除されてカバー２０を回動させることができるようになっている。さらに、カバー２０の上記他端部には、開口部１１を塞いだ状態において操作用凹部１４に連通する凹所２６が形成されている。
【００１４】
ところで、図１に示すように、器体１０には、開口部１１の内周縁から一対の円柱状の回転軸１２，１２が突設されている。一方、カバー２０は、上述のように一端部に枢支部２１が形成されており、カバー２０の枢支部２１には、回転軸１２が嵌着される軸受孔２２が形成されている。ここに、カバー２０の枢支部２１には、軸受孔２２に連通し回転軸１２を軸方向に直交する方向から軸受孔２２に導入可能とする取付用スリット２３が形成されている。また、カバー２０の枢支部２１には、図６（ａ）に示すようにカバー２０が開口部１１を開放し且つカバー２０の表面が器体１０に当接することで開放方向（図６（ａ）における反時計回り方向）へのカバー２０の回動が器体１０により規制された状態において、カバー２０へ開放方向の力が作用したときに図６（ｂ）に示すように回転軸１２を軸受孔２２から脱出させる脱出用スリット２４が軸受孔２２に連通する形で形成されている。なお、取付用スリット２３は、図１における下面側が開放されており、軸受孔２２の内径および回転軸１２の外径よりも幅狭に形成されており、脱出用スリット２４は、図１における上面側が開放されており、軸受孔２２の内径および回転軸１２の外径よりも幅狭に形成されている。
【００１５】
しかして、本実施形態では、カバー２０が開口部１１を開放し且つ開放方向へのカバー２０の回動が器体１０により規制された状態においてカバー２０へ開放方向の力が作用すると、回転軸１２が脱出用スリット２４を通して枢支部２１から外れる（つまり、カバー２０が器体１０から外れる）ことになるので、回転軸１２が折れるのを防止することができる。また、カバー２０の枢支部２１には、軸受孔２２に連通し回転軸１２を軸方向に直交する方向から軸受孔２２に導入可能とする取付用スリット２３が形成されているので、カバー２０が器体１０から外れた後でも容易に取り付けることができる。
【００１６】
なお、本実施形態では、器体１０においてバッテリホルダに対応する部位に形成された開口部１１を塞ぐ位置と開放する位置との間で回動自在となるカバー２０について説明したが、器体内部に設けられたスイッチの設定を行う際に開閉するカバーに上述の構造を採用してもよい。
【００１７】
【発明の効果】
請求項１の発明は、上記目的を達成するために、器体と、器体に形成された開口部を塞ぐ位置と開口部を開放する位置との間で回動自在となるように器体に枢支されるカバーとを備え、カバーの枢支部には、器体の開口部の内周縁から突設された回転軸が嵌着される軸受孔が形成され、カバーが開口部を開放し且つ開放方向へのカバーの回動が器体により規制された状態においてカバーへ開放方向の力が作用したときに回転軸を軸受孔から脱出させる脱出用スリットが軸受孔に連通する形で形成されてなるものであり、カバーが開口部を開放し且つ開放方向へのカバーの回動が器体により規制された状態においてカバーへ開放方向の力が作用すると、回転軸が脱出用スリットを通してカバーから外れる（つまり、カバーが器体から外れる）ことになるので、回転軸が折れるのを防止することができるという効果がある。
【００１８】
請求項２の発明は、請求項１の発明において、前記カバーには、前記軸受孔に連通し前記回転軸を軸方向に直交する方向から前記軸受孔に導入可能とする取付用スリットが形成されているので、前記カバーが前記器体から外れた後でも容易に取り付けることができるという効果がある。
【図面の簡単な説明】
【図１】実施形態を示すプログラマブルコントローラの要部説明図である。
【図２】同上を示し、（ａ）はカバーを取り外した状態の概略外観斜視図、（ｂ）は（ａ）の要部拡大図である。
【図３】同上を示し、カバーを取り外した状態の要部概略断面図である。
【図４】同上に用いるカバーを示し、（ａ）は概略正面図、（ｂ）は概略側面図である。
【図５】同上を示し、（ａ）はカバーにより開口部を塞いだ状態の要部概略断面図、（ｂ）はカバーにより開口部を塞いだ状態の要部側断面図、（ｃ）はカバーにより開口部を塞いだ状態の要部拡大断面図である。
【図６】同上の要部説明図である。
【図７】従来例を示す要部説明図である。
【符号の説明】
１０　器体
１１　開口部
１２　回転軸
２０　カバー
２１　枢支部
２２　軸受孔
２３　取付用スリット
２４　脱出用スリット
【図１】
2004128347.tif 000003
【図２】
2004128347.tif 000004
【図３】
2004128347.tif 000005
【図４】
2004128347.tif 000006
【図５】
2004128347.tif 000007
【図６】
2004128347.tif 000008
【図７】
2004128347.tif 000009